(57)【特許請求の範囲】
【請求項１】
複数のチャンネルの信号をチャンネル毎に受信変換する複数の受信変換手段と、受信変換された信号をチャンネル毎に送信変換する複数の送信変換手段と、送信変換された複数のチャンネルの信号を一括して増幅する増幅手段とを備える中継放送局装置において、
前記増幅手段の前段における信号のレベルに基づいて前記チャンネルの数を検出し、前記増幅手段からの出力信号のレベルに基づいて前記チャンネルの数を算定し、当該検出された前記チャンネルの数と、当該算定されたチャンネルの数とに応じて、当該中継放送局装置を制御するチャンネル監視制御手段、
を備えることを特徴とする中継放送局装置。
【請求項２】
前記チャンネル監視制御手段は、
前記増幅手段の前段における信号のレベルに基づいて検出された前記チャンネルの数に対して各チャンネル当りの所定の個別出力レベルを乗じて算定された合計出力レベルを、前記増幅手段の出力レベルとして設定し、
前記増幅手段からの出力信号のレベルを前記各チャンネル当りの所定の個別出力レベルで除算することによって前記チャンネルの数を算定し、
前記増幅手段の前段における信号のレベルに基づいて検出されたチャンネルの数と、前記増幅手段からの出力信号のレベルに基づいて算定されたチャンネルの数とに応じて、各チャンネル毎の放送ステータスを判定し、当該判定された放送ステータスに応じて、当該中継放送局装置を制御すること、
を特徴とする請求項１に記載の中継放送局装置。
【請求項３】
前記チャンネル監視制御手段は、前記複数の受信変換手段の各々に対する入力信号のレベルに基づいて前記チャンネルの数を検出すること、
を特徴とする請求項１又は２に記載の中継放送局装置。
【請求項４】
前記チャンネル監視制御手段は、前記複数の受信変換手段の各々に対する入力信号のレベルと、前記複数の送信変換手段の各々からの出力信号のレベルとに基づいて、前記受信変換手段及び前記送信変換手段の異常を検出すること、
を特徴とする請求項１から３のいずれか一項に記載の中継放送局装置。
【請求項５】
前記増幅手段を複数備えると共に、これら複数の増幅手段を相互に切替えるための切替え手段を備え、
前記チャンネル監視制御手段は、前記検出された前記チャンネルの数と前記増幅手段からの出力信号のレベルとに基づいて前記増幅手段の異常を検出し、当該異常が検出された場合には前記切替え手段を介して前記増幅手段を相互に切替えること、
を特徴とする請求項１から４のいずれか一項に記載の中継放送局装置。
【請求項６】
前記チャンネル監視制御手段は、前記検出された前記チャンネルの数に基づいて前記増幅手段における信号レベルの制御範囲を算定し、前記増幅手段からの出力信号のレベルが当該算定された制御範囲を超えた場合に前記増幅手段を異常と判定すること、
を特徴とする請求項５に記載の中継放送局装置。
【発明の詳細な説明】
【技術分野】
【０００１】
本発明は、ＴＶ放送の放送システムにおいて、放送電波を山間部等の難視聴地域に中継するための中継放送局装置に関し、特に、ＭＣＰＡ（Multi Channel Power Amplifier）方式の中継放送局装置に関する。
【背景技術】
【０００２】
従来からＴＶ放送の放送システムにおいては、放送電波を山間部等の難視聴地域に伝送するために中継放送局装置が利用されている。この中継放送局装置は、例えば、山の頂上付近に建てられた中継所の内部に設置され、放送局から送信された電波をアンテナで受信し、ここで信号の増幅やノイズの除去などを行って、再び送信信号を構成してこれを目的の難視聴地域に向けて送信するものである。
【０００３】
一般的な中継放送局装置においては、放送電波をそのフロントエンド部において各チャンネル毎の信号に分波し、それぞれ所定の中間周波数帯域の信号（中間信号）に変換をして、ここでノイズの除去や必要な信号の増幅を行う。ノイズ除去などを行った中間信号は、励振部に送られてここで予め決定された送信周波数に再度変換され、出力混合器で合成されて送信される。
【０００４】
このような中継放送局装置は、増幅方式によって、ＭＣＰＡ方式と、ＳＣＰＡ方式（Single Channel Power Amplifier）とに大別される。ＭＣＰＡ方式は、複数チャンネルを分波することなく一括で増幅する方式であり、複数チャンネル分の放送設備を省スペースかつ低コストで構築できるため、電力が小さい中継局や複数チャンネルの周波数が相互に離れていない中継局に適している（例えば特許文献１参照）。一方のＳＣＰＡ方式は、複数チャンネルを各チャンネル毎に分波して個別に増幅する方式であり、大電力の中継局に適している。
【０００５】
図４は従来のＭＣＰＡ方式の中継放送局装置のブロック図である。この中継放送局装置１００は、受信アンテナ１０１、分波器１０２、複数の受送信変換部１０３、合成器１０４、分配器１０５、複数（ここでは２台）の増幅部（ＭＣＰＡ）１０６、切替部１０７、出力フィルタ１０８、送信アンテナ１０９、及び、マルチチャンネル電力計（ＭＣＰＡ電力計）１１０を備えて構成されている。また、各受送信変換部１０３は、受信変換部１０３ａ、送信変換部１０３ｂ、及び、切替部１０３ｃを備えて構成されている。このような構成において、受信アンテナ１０１で受信された放送電波は、分波器１０２によって各チャンネルごとの信号に分波され、各チャンネルに対応した受送信変換部１０３に入力される。受送信変換部１０３において、受信変換部１０３ａは、入力信号に対して利得調整及び中間周波数への周波数変換等を行って中間信号を生成し、中間信号を送信変換部１０３ｂに向けて出力する。送信変換部１０３ｂは、中間信号に対して、利得調整、周波数変換、及び、ノイズ除去等の処理を行い、出力信号を生成して出力する。この出力信号は、合成器１０４にて合成された後、分配器１０５にて２系統に分配され、各増幅部１０６において複数チャンネルが一括して増幅された後、いずれかの増幅部１０６からの出力信号が切替部１０７及び出力フィルタ１０８を介して送信アンテナ１０９から出力される。
【０００６】
図５は従来のＳＣＰＡ方式の中継放送局装置のブロック図である。この中継放送局装置１２０は、受信アンテナ１２１、多段構成された複数の分配器１２２、複数の受送信変換部１２３、合成器１２４、出力フィルタ１２５、及び、送信アンテナ１２６を備えて構成されている。また、各受送信変換部１２３は、受信変換部１２３ａ、送信変換部１２３ｂ、増幅部（ＳＣＰＡ）１２３ｃ、及び、切替部１２３ｄを備えて構成されている。このような構成において、受信アンテナ１２１で受信された放送電波は、分配器１２２によって各チャンネル毎に分配された後、受送信変換部１２３に入力される。受送信変換部１２３において、受信変換部１２３ａは、入力信号に対して利得調整及び中間周波数への周波数変換等を行って中間信号を生成し、中間信号を送信変換部１２３ｂに向けて出力する。送信変換部１２３ｂは、中間信号に対して、利得調整、周波数変換、及び、ノイズ除去等の処理を行い、出力信号を生成して出力する。この出力信号は、増幅部１２３ｃによって各チャンネル毎に増幅され、合成器１２４にて合成された後、出力フィルタ１２５を介して送信アンテナ１２６から出力される。
【０００７】
【特許文献１】特開２００２−０７７０６６号公報
【発明の開示】
【発明が解決しようとする課題】
【０００８】
ここで、図５の如きＳＣＰＡ方式の中継放送局装置１２０においては、各チャンネル毎の増幅部１２３ｃにＡＧＣ（Automatic Gain Control）を設けると共にその増幅率（利得）を適当に設定することで、例えば各チャンネルの入力レベルが変動した場合であっても、チャンネル毎にその出力レベルの変動を制御し、各チャンネルの出力レベルの変動を例えば±１０％程度に抑えることが可能である。さらに、このように出力レベルの変動を制御できるため、この出力レベルの変動が大きくなった場合には、中継放送局装置１２０に何らかの異常が発生したものと判断することができ、中継放送局装置１２０の異常を容易に検出することができる。
【０００９】
しかしながら、図４の如きＭＣＰＡ方式の中継放送局装置１００においては、増幅部１０６において複数のチャンネルを一括して増幅しているため、単純なＡＧＣを行うことができない。すなわち、各チャンネルの出力レベルが変動する要因としては、各チャンネルの入力レベルが変動する場合のみならず、一部のチャンネルのみが放送休止になった場合のようにチャンネルの数自体が変動する場合があり、このような変動要因をＡＧＣで特定できないため、変動要因に関わらず一律の増幅率で入力信号を増幅してしまうと、各チャンネルの出力レベルの変動を適切に制御することができなくなる。さらに、このように出力レベルの変動を抑制できないため、この出力レベルの変動が大きくなった場合であっても、中継放送局装置１００に何らかの異常が発生したのか否かを断定することができず、中継放送局装置１００の異常検出が困難である。
【００１０】
従来、このようなＭＣＰＡ方式の中継放送局装置１００における問題点に鑑みて、図４に示すように、各チャンネル毎のＲＦレベルを測定及び監視するマルチチャンネル電力計１１０を設け、このマルチチャンネル電力計１１０にて測定されたＲＦレベルに基づいて、出力レベルの変動を制御したり、中継放送局装置１００の異常を検出していた。そして、異常が検出された場合には、マルチチャンネル電力計１１０から遠方監視局に対して異常信号を出力していた。しかしながら、このマルチチャンネル電力計１１０は比較的高価であり、中継放送局装置１００の設置コストを上昇させる一因になっていた。
【００１１】
本発明は、上記に鑑みてなされたものであって、マルチチャンネル電力計を用いることなく、出力レベルの変動制御や中継放送局装置の異常検出を行うことができる、ＭＣＰＡ方式の中継放送局装置を提供することを目的とする。
【課題を解決するための手段】
【００１２】
上述した課題を解決し、目的を達成するために、請求項１に記載の中継放送局装置は、複数のチャンネルの信号をチャンネル毎に受信変換する複数の受信変換手段と、受信変換された信号をチャンネル毎に送信変換する複数の送信変換手段と、送信変換された複数のチャンネルの信号を一括して増幅する増幅手段とを備える中継放送局装置において、前記増幅手段の前段における信号のレベルに基づいて前記チャンネルの数を検出し、前記増幅手段からの出力信号のレベルに基づいて前記チャンネルの数を算定し、当該検出された前記チャンネルの数と、当該算定されたチャンネルの数とに応じて、当該中継放送局装置を制御するチャンネル監視制御手段、を備えることを特徴とする。
【００１３】
また、請求項２に記載の中継放送局装置は、請求項１に記載の中継放送局装置において、前記チャンネル監視制御手段は、前記増幅手段の前段における信号のレベルに基づいて検出された前記チャンネルの数に対して各チャンネル当りの所定の個別出力レベルを乗じて算定された合計出力レベルを、前記増幅手段の出力レベルとして設定し、前記増幅手段からの出力信号のレベルを前記各チャンネル当りの所定の個別出力レベルで除算することによって前記チャンネルの数を算定し、前記増幅手段の前段における信号のレベルに基づいて検出されたチャンネルの数と、前記増幅手段からの出力信号のレベルに基づいて算定されたチャンネルの数とに応じて、各チャンネル毎の放送ステータスを判定し、当該判定された放送ステータスに応じて、当該中継放送局装置を制御すること、を特徴とする。
【００１４】
また、請求項３に記載の中継放送局装置は、請求項１又は２に記載の中継放送局装置において、前記チャンネル監視制御手段は、前記複数の受信変換手段の各々に対する入力信号のレベルに基づいて前記チャンネルの数を検出すること、を特徴とする。
【００１５】
また、請求項４に記載の中継放送局装置は、請求項１から３のいずれか一項に記載の中継放送局装置において、前記チャンネル監視制御手段は、前記複数の受信変換手段の各々に対する入力信号のレベルと、前記複数の送信変換手段の各々からの出力信号のレベルとに基づいて、前記受信変換手段及び前記送信変換手段の異常を検出すること、を特徴とする。
【００１６】
また、請求項５に記載の中継放送局装置は、請求項１から４のいずれか一項に記載の中継放送局装置において、前記増幅手段を複数備えると共に、これら複数の増幅手段を相互に切替えるための切替え手段を備え、前記チャンネル監視制御手段は、前記検出された前記チャンネルの数と前記増幅手段からの出力信号のレベルとに基づいて前記増幅手段の異常を検出し、当該異常が検出された場合には前記切替え手段を介して前記増幅手段を相互に切替えること、を特徴とする。
【００１７】
また、請求項６に記載の中継放送局装置は、請求項５に記載の中継放送局装置において、前記チャンネル監視制御手段は、前記検出された前記チャンネルの数に基づいて前記増幅手段における信号レベルの制御範囲を算定し、前記増幅手段からの出力信号のレベルが当該算定された制御範囲を超えた場合に前記増幅手段を異常と判定すること、を特徴とする。
【発明の効果】
【００１９】
請求項１に記載の本発明によれば、チャンネルの数を検出し、当該検出されたチャンネルの数に応じて増幅手段における増幅率を制御することで、マルチチャンネル電力計を用いることなく、一括増幅時の増幅制御を適切に行うことができる。
【００２０】
請求項２に記載の本発明によれば、検出されたチャンネルの数に対して各チャンネル当りの所定の個別出力レベルを乗じて算定された合計出力レベルを、増幅手段の出力レベルとして設定することで、チャンネルの数の増減に伴う適正な制御レベルの変動を吸収し、一括増幅時の増幅制御を適切に行うことができる。
また、増幅手段からの出力信号のレベルを各チャンネル当りの所定の個別出力レベルで除算することによってチャンネルの数を算定し、当該算定されたチャンネルの数と、増幅手段の前段における信号レベルに基づいて検出されたチャンネルの数とに基づいて、各チャンネル毎の放送ステータスを判定することで、中継放送局装置における放送状態（中継状態）を詳細に遠方監視局等に報知することができる。
【００２１】
請求項３に記載の本発明によれば、複数の受信変換手段の各々に対する入力信号のレベルに基づいてチャンネルの数を検出することで、チャンネルの数を容易かつ正確に検出することができる。
【００２２】
請求項４に記載の本発明によれば、複数の受信変換手段の各々に対する入力信号のレベルと、複数の送信変換手段の各々からの出力信号のレベルとに基づいて、受信変換手段及び送信変換手段の異常を検出することで、これら受信変換手段及び送信変換手段を現用系から待機系に切替えたり、異常遠方監視局等に報知することができ、放送中継の信頼性を高めることができる。
【００２３】
請求項５に記載の本発明によれば、検出されたチャンネルの数と増幅手段からの出力信号のレベルとに基づいて増幅手段の異常を検出し、当該異常が検出された場合には切替え手段を介して増幅手段を相互に切替えるので、増幅部の異常発生時においても放送を継続することができ、放送中継の信頼性を高めることができる。
【００２４】
請求項６に記載の本発明によれば、検出されたチャンネルの数に基づいて増幅手段における信号レベルの制御範囲を算定し、増幅手段からの出力信号のレベルが当該算定された制御範囲を超えた場合に増幅手段を異常と判定することで、チャンネルの数の増減に伴う適正制御範囲の変動を吸収し、異常検出を適正に行うことができる。
【発明を実施するための最良の形態】
【００２６】
以下に添付図面を参照して、この発明に係る中継放送局装置の実施の形態を詳細に説明する。まず、〔Ｉ〕本実施の形態の基本的概念を説明した後、〔II〕本実施の形態の具体的内容について説明し、〔III〕最後に、本実施の形態に対する変形例について説明する。ただし、本実施の形態によって本発明が限定されるものではない。
【００２７】
〔Ｉ〕本実施の形態の基本的概念
まず、本実施の形態の基本的概念について説明する。本実施の形態に係る中継放送局装置の設置目的及び中継信号の種類は任意であり、テレビ放送システムにおける放送電波中継若しくは有線放送システムにおける放送信号中継のための中継局であると、無線通信システムにおける通信電波中継のための中継局であるとを問わない。ここで、本実施の形態に係る中継放送局装置は、ＭＣＰＡ方式の中継放送局装置であり、受信変換及び送信変換を経た複数のチャンネルの信号を一括して増幅して出力する。
【００２８】
本実施の形態に係る中継放送局装置の特徴の一つは、概略的に、当該中継放送局装置に入力されているチャンネルの数を検出し、検出されたチャンネルの数に応じて、一括増幅のための増幅率を制御することにある。この場合、各チャンネルの出力レベルが変動しても、この変動が、各チャンネルの入力レベルが変動したことに起因するのか、チャンネルの数自体が変動したことに起因するのかを判定できるので、各チャンネルの出力レベルの変動を適切に制御することが可能になる。また、このような制御をマルチチャンネル電力計を用いることなく行うことができるので、中継放送局装置の設置コストを低減できる。
【００２９】
〔II〕本実施の形態の具体的内容
次に、本実施の形態の具体的内容について説明する。
【００３０】
（中継放送局装置の構成）
まず、本実施の形態に係る中継放送局装置の構成を述べる。図１は本実施の形態に係る中継放送局装置の構成を示すブロック図である。この中継放送局装置１は、受信アンテナ２、分波器３、複数の受送信変換部４、合成器５、分配器６、複数（ここでは２台）の増幅部（ＭＣＰＡ）７、切替部８、出力フィルタ９、及び、送信アンテナ１０を備えて構成されている。また、各受送信変換部４は、受信変換部４ａ、送信変換部４ｂ、及び、切替部４ｃを備えて構成されている。
【００３１】
このような構成において、受信アンテナ２で受信された放送電波は、分波器３によって各チャンネル毎の信号に分波され、各チャンネルに対応した受送信変換部４に入力される。受送信変換部４において、受信変換部４ａは、入力信号に対して利得調整及び中間周波数への周波数変換等を行って中間信号を生成し、中間信号を送信変換部４ｂに向けて出力する。送信変換部４ｂは、中間信号に対して、利得調整、周波数変換、及び、ノイズ除去等の処理を行い、出力信号を生成して出力する。この出力信号は、合成器５にて合成された後、分配器６にて２系統に分配され、各増幅部７において複数チャンネルが一括して増幅された後、いずれかの増幅部７からの出力信号が切替部８及び出力フィルタ９を介して送信アンテナ１０から出力される。なお、受信変換部４ａ、送信変換部４ｂ、増幅部７は、それぞれ特許請求の範囲における受信変換手段、送信変換手段、増幅手段に対応する。
【００３２】
ここで、増幅部７は、ＡＧＣアンプ及びディテクタ（図示省略）を備えて構成されている。ＡＧＣアンプは、自動利得制御アンプであり、入力信号のレベルを所定基準値内のレベルに収まるように帰還利得調整する。具体的には、ＡＧＣアンプの後段の信号をディテクタにて検波し、この信号をＡＧＣアンプに帰還させることで利得調整を行う。
【００３３】
このように構成された増幅部７は冗長化されており、一方の増幅部７に異常が発生した場合には、切替部８によって他方の増幅部７に切替えられる。この切替部８は、特許請求の範囲における切替え手段に対応する。以下の説明では必要に応じて、使用されている側の増幅部７を「現用側の増幅部７」、使用されていない側（予備側）の増幅部７を「待機側の増幅部７」と称する。ただし、両者を区別する必要がない場合には、単に「増幅部７」と総称する。なお、受信変換部４ａや送信変換部４ｂについても冗長化し、異常発生時に現用側を待機側に切替える構成としてもよい。
【００３４】
さらに、本実施の形態に係る中継放送局装置１には、チャンネル監視制御部２０が設けられている。このチャンネル監視制御部２０は、増幅部７の前段における信号レベルに基づいてチャンネルの数を検出して増幅部７における増幅率を制御するもので、特許請求の範囲におけるチャンネル監視制御手段に対応する。例えば、チャンネル監視制御部２０は、ＣＰＵ（Central Processing Unit）と、ＯＳ（Operating System）などの制御プログラム、各種の処理手順などを規定したプログラム、及び、所要データや後述する図３の制御テーブルを格納するための内部メモリとを備えて構成されている。このチャンネル監視制御部２０は、図示のように、各受信変換部４ａの前段（信号入力位置）、各送信変換部４ｂの後段（信号出力位置）、増幅部７のＡＧＣアンプ、増幅部７の後段（信号出力位置）、及び、切替部８に対してそれぞれ電気的に接続されている。
【００３５】
（チャンネル監視制御部２０の制御）
次に、チャンネル監視制御部２０の制御について説明する。図２はチャンネル監視制御部２０の制御のフローチャート、図３はチャンネル監視制御部２０の制御に使用される制御テーブルである。チャンネル監視制御部２０は、各受信変換部４ａの信号入力位置における信号レベルを監視すると共に（ステップＳＡ−１）、各送信変換部４ｂの信号出力位置における信号レベルを監視し（ステップＳＡ−２）、これら受信変換部４ａ又は送信変換部４ｂにおける異常の有無を検出する。具体的には、各受信変換部４ａの信号レベルが所定閾値以上あるにも関わらず（ステップＳＡ−１，Ｙｅｓ）、当該受信変換部４ａに対応する送信変換部４ｂの信号レベルが所定閾値以下しかない場合には（ステップＳＡ−２，Ｎｏ）、これら受信変換部４ａと送信変換部４ｂのいずれか又は両方に異常があるものと判定し、異常制御を行う（ステップＳＡ−３）。異常制御としては、例えば、チャンネル監視制御部２０は、遠隔監視センター等の所定の通報先に対して異常信号を出力することで異常発生の旨を報知する。あるいは、受信変換部４ａや送信変換部４ｂを冗長化している場合、チャンネル監視制御部２０は、異常制御として、これら受信変換部４ａや送信変換部４ｂを切替えるための切替部８を制御することで、現用側の受信変換部４ａや送信変換部４ｂを予備系に切替える。
【００３６】
（チャンネル監視制御部２０の制御−入力チャンネルの数の検出）
また、チャンネル監視制御部２０は、各受信変換部４ａの信号入力位置における信号レベルに基づいて、各受信変換部４ａに対する信号入力の有無を判定し、この判定結果に基づいて、中継放送局装置１に入力されているチャンネルの数を検出する（ステップＳＡ−４）。例えば、いずれか一つの受信変換部４ａの信号入力位置における信号レベルを所定閾値（ゼロ、又は、ノイズレベルを考慮したプラス値）と比較し、信号レベルが所定閾値を越えている場合には、当該受信変換部４ａに割り当てられているチャンネルについては信号入力があるものと判定して、チャンネルの数を１だけ加算する。同様に、全ての受信変換部４ａについての判定を行い、チャンネルの合計数を検出する。以下、このように各受信変換部４ａに対する信号入力に基づいて検出されたチャンネルの合計数を「受信判定チャンネル合計数」と称する。
【００３７】
（チャンネル監視制御部２０の制御−増幅率制御）
その後、チャンネル監視制御部２０は、受信判定チャンネル合計数に応じて、増幅部７のＡＧＣアンプにおける増幅率を制御する。具体的には、受信判定チャンネル合計数に対して各チャンネル当りの所定の個別出力レベルを乗じることによって合計出力レベルを算定し（ステップＳＡ−５）、この合計出力レベルをＡＧＣアンプの出力レベルに設定する（ステップＳＡ−６）。例えば、個別出力レベルを０．３ｗとすると、受信判定チャンネル合計数が４の場合には合計出力レベルを１．２（＝０．３×４）ｗ、受信判定チャンネル合計数が３の場合には合計出力レベルを０．９（＝０．３×３）ｗ、受信判定チャンネル合計数が２の場合には合計出力レベルを０．６（＝０．３×２）ｗ、受信判定チャンネル合計数が１の場合には合計出力レベルを０．３（＝０．３×１）ｗにそれぞれ設定する。
【００３８】
この結果、増幅部７のＡＧＣアンプでは、受信判定チャンネル合計数に応じた合計出力レベルになるように利得制御が行われる。例えば、受信判定チャンネル合計数が４の場合には出力レベルが１．２ｗになるように制御が行われ、受信判定チャンネル合計数が１に減った場合には出力レベルが０．３ｗになるように制御が行われる。この場合、一部のチャンネルのみが放送休止になっても、その休止されたチャンネル分の出力レベルが減じられてＡＧＣアンプの出力レベルが設定されるので、放送休止のチャンネルを除いた各チャンネルの出力レベルを適切に制御することができる。
【００３９】
（チャンネル監視制御部２０の制御−各チャンネル毎のステータス判定）
次いで、チャンネル監視制御部２０は、増幅部７の信号出力位置における信号レベルと、ステップＳＡ−４にて検出した受信判定チャンネル合計数とに基づいて、各チャンネル毎のステータスを判定し、この判定結果を遠隔監視センター等の所定の通報先に対して出力する。具体的には、上述のステップＳＡ−６の増幅率制御を行っているため、各チャンネル毎の個別出力レベルを０．３ｗとすると、受信判定チャンネル合計数が４、３、２、１の場合にはそれぞれ、増幅部７の信号出力位置における信号レベルが１．２ｗ、０．９ｗ、０．６ｗ、０．３ｗになると予測される。
【００４０】
このことから、増幅部７の信号出力位置における信号レベルを、各チャンネル毎の個別出力レベルで除算することで、放送中のチャンネルの数を算定できる（このように増幅部７の出力レベルに基づいて算定されたチャンネルの数を「増幅判定チャンネル合計数」と称する）（ステップＳＡ−７）。例えば、増幅部７の信号出力位置における信号レベルが１．２ｗの場合には増幅判定チャンネル合計数は４（＝１．２／０．３）、信号レベルが０．９ｗの場合には増幅判定チャンネル合計数は３（＝０．９／０．３）、信号レベルが０．６ｗの場合には増幅判定チャンネル合計数は２（＝０．６／０．３）、信号レベルが０．３ｗの場合には増幅判定チャンネル合計数は１（＝０．３／０．３）になる。
【００４１】
そして、この増幅判定チャンネル合計数と、ステップＳＡ−４にて検出した受信判定チャンネル合計数とに基づいて、各チャンネル毎のステータスを判定する（ステップＳＡ−８）。この組み合わせを図３の下段に示す。ここで「ステータス」には、「放送中（受信変換部４ａに対して正常レベルの放送信号入力があり、増幅部７から信号が出力される場合）」、「休止中（放送局が番組の送出を一時的に休止する場合であり、受信変換部４ａに対する放送信号入力がない場合）」、「停波（受信変換部４ａに対する放送信号入力はあるが、受信変換部４ａ又は送信変換部４ｂの処理によって遮断され、増幅部７からの信号出力がない場合）」の３種類がある。
【００４２】
例えば、増幅判定チャンネル合計数が４である場合には、受信判定チャンネル合計数（図３において「ＲＦ入力」として示す）は必ず４であるため（増幅部７から４チャンネル分の出力が出ていることから、休止中や停波がないと判断できるため）、４チャンネルの全てが放送中であると判定する。増幅判定チャンネル合計数が３である場合において、受信判定チャンネル合計数が３である場合には、３チャンネルが放送中であると共に１チャンネルは休止中であり、受信判定チャンネル合計数が４である場合には、３チャンネルが放送中であると共に１チャンネルは停波である。受信判定チャンネル合計数が２、１、０である場合の各々について、判定を行なうことができる。この判定結果については、例えば、判定結果を遠隔監視センター等の所定の通報先に対して出力したり、判定結果を報知するための表示出力を行うことができる。
【００４３】
（チャンネル監視制御部２０の制御−増幅部７の異常検出）
また、図２において、チャンネル監視制御部２０は、ステップＳＡ−４において検出された受信判定チャンネル合計数と、増幅部７の信号出力位置における信号レベルとに基づいて、増幅部７の異常を検出する。
【００４４】
この異常検出は、具体的には、受信判定チャンネル合計数に基づいて増幅部７の信号出力位置における信号レベルの変動の適正制御範囲を算定し（ステップＳＡ−９）、実際の信号レベルがこの適正制御範囲を超えた場合には異常が発生したものと判定して（ステップＳＡ−１０，Ｙｅｓ）、異常制御を行う（ステップＳＡ−１１）。この異常制御としては、チャンネル監視制御部２０は、例えば、当該異常が検出された場合には切替部８に制御信号を出力することで、増幅部７を現用側から待機側に切替える。さらに、異常判定が検出された場合、チャンネル監視制御部２０は、異常制御として、遠隔監視センター等の所定の通報先に対して異常信号を出力することで、異常発生の旨を報知してもよい。
【００４５】
適正制御範囲の設定は、例えば、信号レベルの変動の制御範囲が±１０％程度の場合において、１チャンネル当たりの出力をＰとし、受信判定チャンネル合計数をＮとした場合、適正制御範囲の下限閾値ＴＨｍｉｎをＰの９０％〜（Ｎ−１）／Ｎ×１００％の範囲内とし、適正制御範囲の上限閾値ＴＨｍａｚをＰの１１０％〜（Ｎ＋１）／Ｎ×１００％の範囲内とする。具体的には、１チャンネル当たりの出力が０．３ｗである場合の下限閾値は、受信判定チャンネル合計数が４の場合には０．３ｗに対する９０％〜７５％、受信判定チャンネル合計数が３の場合には０．３ｗに対する９０％〜６７％、受信判定チャンネル合計数が２の場合には０．３ｗに対する９０％〜５０％、受信判定チャンネル合計数が１の場合には０．３ｗに対する９０％〜０％となる。また、１チャンネル当たりの出力が０．３ｗである場合の上限閾値は、受信判定チャンネル合計数が４の場合には０．３ｗに対する１１０％〜１２５％、受信判定チャンネル合計数が３の場合には０．３ｗに対する１１０％〜１３３％、受信判定チャンネル合計数が２の場合には０．３ｗに対する１１０％〜１５０％、受信判定チャンネル合計数が１の場合には０．３ｗに対する１１０％〜２００％となる。このように、受信判定チャンネル合計数が少なくなる程、下限閾値及び上限閾値を広げることで、チャンネルの数の増減に伴う適正制御範囲の変動を吸収し、異常検出を適正に行うことができる。
【００４６】
（本実施の形態の効果）
このような構成によれば、受信判定チャンネル合計数を検出し、この受信判定チャンネル合計数に応じて増幅部７のＡＧＣアンプにおける増幅率を制御することで、マルチチャンネル電力計を用いることなく、一括増幅時のＡＧＣ出力レベルを適切に制御することができる。
また、増幅判定チャンネル合計数と受信判定チャンネル合計数とに基づいて、各チャンネル毎のステータスを判定することで、中継放送局装置１における放送状態（中継状態）を詳細に遠方監視局等に報知することができる。
また、受信判定チャンネル合計数と、増幅部７の信号出力位置における信号レベルとに基づいて、増幅部７の異常を検出し、異常検出時には増幅部７を現用側から待機側に切替えることで、増幅部７の異常発生時においても放送を継続することができ、放送中継の信頼性を高めることができる。
さらに、受信判定チャンネル合計数に基づいて増幅部７の信号出力位置における信号レベルの変動の適正制御範囲を算定することで、チャンネルの数の増減に伴う適正制御範囲の変動を吸収し、異常検出を適正に行うことができる。
【００４７】
〔III〕本実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００４８】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００４９】
（制御フロー及びパラメータについて）
図２の制御フローは例示であり、特記する場合を除いては、他の順序にて制御処理を行なうことができる。例えば、受信変換部４ａや送信変換部４ｂの異常判定を、増幅部７の異常判定の後に行ってもよい。また、増幅部７の制御レベルや増幅部７の出力レベルの算定において示した数値や数式は例示であり、任意の異なる数値や数式を用いることができる。
【産業上の利用可能性】
【００５０】
この発明は、放送信号の中継を行う中継放送局装置に適用でき、特に、ＭＣＰＡ方式の中継放送局装置において、マルチチャンネル電力計を用いることなく出力レベルの変動制御や中継放送局装置の異常検出を行うことに有用である。
【図面の簡単な説明】
【００５１】
【図１】本発明の実施の形態に係る中継放送局装置の構成を示すブロック図である。
【図２】チャンネル監視制御部の制御のフローチャートを示す図である。
【図３】チャンネル監視制御部の制御に使用される制御テーブルを示す図である。
【図４】従来のＭＣＰＡ方式の中継放送局装置の構成を示すブロック図である。
【図５】従来のＳＣＰＡ方式の中継放送局装置の構成を示すブロック図である。
【符号の説明】
【００５２】
１、１００、１２０  中継放送局装置
２、１０１、１２１  受信アンテナ
３、１０２  分波器
４、１０３、１２３  受送信変換部
４ａ、１０３ａ、１２３ａ  受信変換部
４ｂ、１０３ｂ、１２３ｂ  送信変換部
４ｃ、１０３ｃ、１２３ｄ  切替部
５、１０４、１２４  合成器
６、１０５、１２２  分配器
７、１０６、１２３ｃ  増幅部
８、１０７  切替部
９、１０８、１２５  出力フィルタ
１０、１０９、１２６  送信アンテナ
２０  チャンネル監視制御部
１１０  マルチチャンネル電力計
【図１】
0005052325.tif 000002
【図２】
0005052325.tif 000003
【図３】
0005052325.tif 000004
【図４】
0005052325.tif 000005
【図５】
0005052325.tif 000006